(57)【要約】      （修正有）【課題】表面部材を取り付けたフレームが正面から殆ど或いは全く見えない現代的な外観を有し、透光材が高い強度を有する構造とした収納用扉を提供する。【解決手段】収納用扉は、透光性の表面部材１０、表面部材１０の裏面における、対向する二辺又は四辺にその表面部材取付面５が取り付けられたフレーム１で構成される。フレーム１は、その表面部材取付面５の外縁部分から表面部材１０側に向けてその幅が次第に狭くなる突条３が突設されている。表面部材１０は、表面側透光部材１２、フレーム１に取り付けられる裏面側透光部材２０、表面側透光部材１２と裏面側透光部材２０の間に挟持され、その外縁部分がフレーム１の表面部材取付面５、或いはフレーム１の全体を隠蔽できる幅Ｗで不透明処理がなされている隠蔽枠部１８を有する被覆フィルム１６で構成される。【選択図】図７
2019132079.tif 000002
【特許請求の範囲】
【請求項１】
透光性の表面部材と、前記表面部材の裏面における、対向する二辺又は四辺にその表面部材取付面が取り付けられたフレームとで構成された収納用扉であって、
前記フレームは、その表面部材取付面の外縁部分から表面部材側に向けてその幅が次第に狭くなる突条が突設され、
前記表面部材は、表面側透光部材、前記フレームに取り付けられる裏面側透光部材、前記表面側透光部材と裏面側透光部材の間に挟持され、その外縁部分が前記フレームの表面部材取付面、或いはフレームの全体を隠蔽できる幅で不透明処理化がなされている隠蔽枠部を有する被覆フィルムとで構成されていることを特徴とする収納用扉。
【請求項２】
前記フレームの突条の内側面は、前記表面部材取付面に対して鈍角に形成された傾斜面であり、
裏面側透光部材の外側面は、前記突条の内側面の傾斜に合わせて形成された傾斜面であることを特徴とする請求項１に記載の収納用扉。
【請求項３】
前記表面側透光部材と被覆フィルムとの間に、模様や着色された意匠形成シートが更に挟み込まれていることを特徴とする請求項１又は２に記載の収納用扉。
【発明の詳細な説明】
【技術分野】
【０００１】
本発明は、収納用扉の表面部材を構成するガラスやアクリル樹脂のような透光材が扉全体に用いられて該表面部材を取り付けたフレームが正面から殆ど或いは全く見えない現代的な外観を有し、しかも該透光材が高い強度を有する構造とした収納用扉に関する。
【背景技術】
【０００２】
最近、ＴＶや携帯電話の表示画面を大きく見せるため、フレームの幅をできる限り狭くすることが現代的なデザインとして流行し、ＴＶボード等の収納用扉のデザインもそのような流行を追っている。
従来のＴＶボード等の収納用扉Ｂは、アルミフレーム１００を框に使用し、収納用扉Ｂの表面部材１１０となる透光性のガラス板やアクリル面板をアルミフレーム１００に固定するために、アルミフレーム１００の内周に溝１２０を全周にわたって掘り込み、表面部材１１０の外周縁がこの溝１２０に嵌まり込むように取り付けられていた（図９）。そのため、収納用扉Ｂの正面にはアルミフレーム１００のかぶせ部分１３０が見え、上記の流行の傾向からすれば収納用扉Ｂ全体の意匠を損なっていた。
【０００３】
これを改善するために、特許文献１のように透光性の表面部材２１０が取り付けられるフレーム２００に、上記のようなかぶせ部分１３０をなくした収納用扉Ｃが存在する。この収納用扉Ｃでは、フレーム２００にかぶせ部分１３０がないので、上記のようなくわえ込み構造となっておらず（即ち、溝１２０がない構造）、フレーム２００と透光性の表面部材２１０との接着を両面テープ２４０や接着剤に頼ることになる。該接着面は、収納用扉Ｃの外面に現れるため、これを隠蔽するために、当該部分を塗装するなどの仕上げを行う必要があった。該塗装部分を２５０で示す。
【０００４】
この場合上記のような塗装仕上げを行う場合、塗装を必要としない部分に合わせて形成した版や型（両者図示せず）を表面部材２１０の上に置き、版や型から外れた接着面を隠蔽する部分を別途塗装することになる。この場合、塗装工程で塗料が付着しないように版や型の寸法調整する必要があり、サイズの特注に対してその対応が容易でないという課題があった。また、表面部材２１０を全面的に塗装仕上げとすれば、型や版は不要であるものの表面部材２１０が透光性を有しなくなるため、飾り棚やＴＶボードなどの収納用扉Ｃには使用できない。
【０００５】
その他、従来の表面部材１１０・２１０は、例えば、ガラス板やアクリル面板の１枚物で構成されていたため、強度的に弱く破損すると破片が周囲に飛び散るという危険もあった。また、表面部材１１０・２１０が一枚物の場合、上記のように塗料が取着された隠蔽部分にフレーム１００が接着されるため、接着強度が弱いという問題もあった。
【先行技術文献】
【特許文献】
【０００６】
【特許文献１】特開２０００−１３６６７７号公報
【発明の概要】
【発明が解決しようとする課題】
【０００７】
本発明は、上記従来例の問題点を解決するためになされたもので、フレームと透光性の表面部材を使用したにも拘らず、フレームが正面から見えず、或いは殆ど見えず、しかもフレームへの表面部材の保持強度が優れている収納用扉を提供することをその主たる課題とし、表面部材の強度強化と飛散防止及びフレームへの接着強度の向上を可能にすることを従たる課題とする。
【課題を解決するための手段】
【０００８】
請求項１に記載の発明（収納用扉Ａ）は、
透光性の表面部材１０と、前記表面部材１０の裏面における、対向する二辺又は四辺にその表面部材取付面５が取り付けられたフレーム１とで構成された収納用扉Ａであって、
前記フレーム１は、その表面部材取付面５の外縁部分から表面部材１０側に向けてその幅が次第に狭くなる突条３が突設され、
前記表面部材１０は、表面側透光部材１２、前記フレーム１に取り付けられる裏面側透光部材２０、前記表面側透光部材１２と裏面側透光部材２０の間に挟持され、その外縁部分が前記フレーム１の表面部材取付面５、或いはフレーム１の全体を隠蔽できる幅Ｗで不透明処理化がなされている隠蔽枠部１８を有する被覆フィルム１６とで構成されていることを特徴とする。
【０００９】
表面部材１０は、表面側透光部材１２と裏面側透光部材２０の間に被覆フィルム１６を設けているので、少なくとも表面側透光部材１２または裏面側透光部材２０が仮に破損したとしても、これらの破片が被覆フィルム１６に付着しているので、破片が周囲に飛び散ることがない。また、この被覆フィルム１６が強化フィルムの働きをなすため、表面部材１０の強度が向上する。また、被覆フィルム１６には不透明な隠蔽枠部１８が予め設けられているので、表面部材１０の裏面にフレーム１の表面部材取付面５を取り付けた時に自動的にフレーム１の表面部材取付面５、或いはフレーム１が不透明な隠蔽枠部１８に隠蔽されることになり、正面視でフレーム１が見えない。更に、フレーム１の表面部材取付面５への取り付けは、表面部材１０の裏面側透光部材２０がそのまま取り付けられることになるので、換言すれば、塗装面ではないので、取り付け強度の低下がない。
【００１０】
請求項２に記載の発明は、請求項１に記載の収納用扉Ａにおいて、
前記フレーム１の突条３の内側面３ｂは、前記表面部材取付面５に対して鈍角に形成された傾斜面であり、
裏面側透光部材２０の外側面２０ｂは、前記突条３の内側面３ｂの傾斜に合わせて形成された傾斜面であることを特徴とする。
これによりフレーム１の突条３も隠蔽されることになる。
【００１１】
請求項３に記載の発明は、請求項１又は２に記載の収納用扉Ａにおいて、
前記表面側透光部材１２と被覆フィルム１６との間に、模様や着色された意匠形成シート１４が更に挟み込まれていることを特徴とする。
これにより、表面部材１０には予め模様や着色された意匠形成シート１４が挟み込まれているので、表面部材１０の意匠性を高めることができる。
【発明の効果】
【００１２】
本発明は上記のような構成を要するので、本発明は、収納用扉のデザイン性を高めることができると同時に、その取り付け強度も本来の強度で取り付けることができた。
【図面の簡単な説明】
【００１３】
【図１】本発明に係る収納用扉を装着したＴＶボックスの概略正面図である。
【図２】図１において、意匠形成シートを設けなかった場合の２方組の斜視図である。
【図３】図１において、意匠形成シートを設けた場合の２方組の斜視図である。
【図４】図１において、意匠形成シートを設けなかった場合の４方組の斜視図である。
【図５】図１において、意匠形成シートを設けた場合の４方組の斜視図である。
【図６】本発明に係る収納用扉のコーナー部分の４方組の分解斜視図である。
【図７】本発明に係る収納用扉の部分断面図である。
【図８】本発明に係る他の収納用扉の部分断面図である。
【図９】従来例１の部分断面斜視図である。
【図１０】従来例２の部分断面図である。
【発明を実施するための形態】
【００１４】
以下、本発明に係る収納用扉Ａの実施形態を添付図面に従って説明する。本実施形態に係る収納用扉Ａは、正面視で四角形（横長（図１）、或いは図示していないが縦長、又は正方形）で、ＴＶボックスや収納家具などに用いられる。
本発明に係る収納用扉Ａは、透光性の表面部材１０の裏面にて縦辺（または横辺）にフレーム１が取り付けられた二方組（図２、図４）と、透光性の表面部材１０の裏面にてその四周にフレーム１が取り付けられた四方組（図３、図５）とがあり、更に、表面部材１０が、表面側透光部材１２、裏面側透光部材２０、及び被覆フィルム１６の３部材で構成される場合と、図３、４のように、これに更に意匠形成シート１４が加えられる場合がある。
【００１５】
フレーム１は、アルミニウムやステンレスのような金属製のものや、木質部材（無垢材、木質繊維板）などが使用される。アルミニウムの場合一般的には押出成形品が使用される。
フレーム１の断面は、図７，８からわかるように断面長方形のフレーム本体２の表面部材取付面５の外縁部分にフレーム本体２の全長にわたって突条３が設けられている。この突条３は、突出（正面）方向に向けてその幅が次第に狭くなるように設けられている。図の実施例では断面が直角三角形状に形成されており、その内側面３ｂが表面部材取付面５に対して鈍角で傾斜するように設けられている。従って、突条３の先端３ａはフレーム本体２の外側面２ａの延長上に存在する。そして、フレーム本体２の表面部材取付面５の内縁には全長にわたって面取り２ｂがなされている。
【００１６】
表面部材１０は、図２及び図３のように、表面側透光部材１２、裏面側透光部材２０、及び被覆フィルム１６の３部材で構成される場合と、図４〜図６のように、これに更に意匠形成シート１４が加えられる場合がある。
表面側透光部材１２及び裏面側透光部材２０は、透光性（透明又は半透明）の材料、例えば、ガラス板やアクリル面板が用いられる。表面側透光部材１２と裏面側透光部材２０は、同種の材料としてもよいし、異種の材料としてもよい。例えば、後者において、表面側透光部材１２をガラス板とし、裏面側透光部材２０をアクリル面板とした場合、硬い表面側透光部材１２により表面部材１０の傷つき防止が可能となり、破損しにくいアクリル面板製の裏面側透光部材２０が表面部材１０の強度を向上させる。また、表面側透光部材１２と裏面側透光部材２０の厚みは、図７、８から分かるように、同じ厚さ（例えば２ｍｍ〜３ｍｍ）としてもよいし、異なる厚さ（例えば、一方を２ｍｍ、他方を３ｍｍ）としてもよい。図７では表面側透光部材１２の方を裏面側透光部材２０より厚くしているが、逆でもよい。
【００１７】
裏面側透光部材２０とフレーム１の関係は、図７、８から分かるように、裏面側透光部材２０の裏面において、その外縁部分にフレーム１の表面部材取付面５が接着或いは両面テープにて直接取り付けられるため、その外側面２０ｂは突条３の内側面３ｂに合致した角度の傾斜面に形成されている。そして、本実施例では、これに限定されないが、裏面側透光部材２０の正面側のエッジ２０ａはフレーム１を取り付けた場合、突条３の先端３ａに一致するようにするため、裏面側透光部材２０の厚みと突条３の高さとは同じにしてある。なお、フレーム１の表面部材１０の取り付けは、接着または両面テープが用いられる。裏面側透光部材２０の表面部材取付面５への取り付け面は極めて平滑な面であるから、高い接着性が得られる。
【００１８】
表面側透光部材１２は裏面側透光部材２０と厚みが同じ場合（図８）、断面形状が対称形状になるように形成され、全体形状も同一になるように形成される。
従って、表面側透光部材１２の裏面側のエッジ１２ａが裏面側透光部材２０の正面側のエッジ２０ａと一致するように形成され、当該エッジ１２ａから表面側に向けてその外側面１２ｂが傾斜するように形成されている。（この場合、被覆フィルム１６や意匠形成シート１４の厚みは無視している。）この点は図７も同様である。
図７の場合は、外側面１２ｂ・２０ｂの傾斜角度は同じであるが、異なるようにして、例えば、裏面側透光部材２０の正面側のエッジ２０ａと表面側透光部材１２のエッジ１２ａとが正面視で重なるようにしてもよい（図示せず）。
【００１９】
被覆フィルム１６は、透光性を有するシート部材で、外縁部分（対向する二辺又は四周）に隠蔽枠部１８が形成されている。被覆フィルム１６の大きさは、表面側透光部材１２と裏面側透光部材２０の合わせ面（最大面積）の大きさに一致し、隠蔽枠部１８の幅Ｗは、被覆フィルム１６の外周縁から少なくともフレーム１の表面部材取付面５、或いはフレーム１の全体を隠蔽できる大きさ（即ち、幅Ｗ）である。
隠蔽枠部１８は、例えば、インクジェットのような塗装手段で当該部分を予め不透明に塗装する。隠蔽枠部１８は全体を不透明にしてもよいが、フレーム１を隠すことができるのであれば、被覆フィルム１６の側辺から内側に向かって次第にその濃度が薄くなるようにしてもよい。隠蔽枠部１８は、二方組の場合、フレーム１が取り付けられる辺に限定して設けてもよい。四方組の場合、被覆フィルム１６の四周に形成される。上記インクジェットのような塗装手段の場合には、印刷用の版や型を不要とすることができる。
【００２０】
意匠形成シート１４は任意に用いられる。意匠形成シート１４は、模様や着色された透光性フィルム状のものに限られず、織布、或いは不織布、紙、突き板など透光性を有しない様々な材料を適用することができる。意匠形成シート１４を用いない場合には、被覆フィルム１６の隠蔽枠部１８以外の透明部分にインクジェット印刷により、模様を設けるようにしてもよい。
【００２１】
表面部材１０は、表・裏面側透光部材１２・２０の間に被覆フィルム１６が積層された三層構造、更には被覆フィルム１６と裏面側透光部材２０との間に意匠形成シート１４が積層された四層構造のものである。
そして上記のように表面部材１０の裏面側において、その対向する二辺、又は四周にフレーム１が取り付けられる。フレーム１の突条３の先端３ａは表面部材１０のエッジ１２ａ（２０ａ）に一致し、表面側透光部材１２が突条３の先端３ａより飛び出した状態の収納用扉Ａとなっているが、表面部材１０の側辺１１、即ち、表面側透光部材１２の外側面１２ｂは斜面に形成されているので、扉の開閉時にこの部分で怪我をするようなことはない。これにより正面視で、フレーム１が殆ど見えない、或いはまったく見えない意匠性に優れた表面部材１０とすることが出来た。
【符号の説明】
【００２２】
Ａ：本発明の収納用扉、Ｂ・Ｃ：従来の収納用扉、Ｗ：隠蔽枠部の幅、１：フレーム、２：フレーム本体、２ａ：外側面、２ｂ：面取り、３：突条、３ａ：先端、３ｂ：内側面、５：表面部材取付面、１０：透光性の表面部材、１１：側辺、１２：表面側透光部材、１２ａ：裏面側のエッジ、１２ｂ：外側面、１４：意匠形成シート、１６：被覆フィルム、１８：隠蔽枠部、２０：裏面側透光部材、２０ａ：正面側のエッジ、２０ｂ：外側面、１００：アルミフレーム、１１０：表面部材、１２０：溝、１３０：かぶせ部分、２００：フレーム、２１０：透光性の表面部材、２４０：両面テープ（接着剤）、２５０：塗装部分
【図１】
2019132079.tif 000003
【図２】
2019132079.tif 000004
【図３】
2019132079.tif 000005
【図４】
2019132079.tif 000006
【図５】
2019132079.tif 000007
【図６】
2019132079.tif 000008
【図７】
2019132079.tif 000009
【図８】
2019132079.tif 000010
【図９】
2019132079.tif 000011
【図１０】
2019132079.tif 000012